(57)【要約】【課題】過電流であると誤検出することを防ぐ。【解決手段】本明細書によって開示される過電流検出装置は、組電池２０に接続された通電路Ｌに直列に接続されて両端に通電路Ｌに流れる電流に応じた電位差を生じさせる電流検出抵抗５０と、一対の接続部３６を有し、一対の接続部３６間の電位差を検出する電流検出回路３５と、電流検出抵抗５０の両端と電流検出回路３５における一対の接続部３６とをそれぞれ接続する一対の電圧検出線ＶＬと、一対の電圧検出線ＶＬの少なくともいずれか一方が接続不良となった場合に、一対の接続部３６間の電位差が大きくなることを抑制する誤検出防止部３７と、を備える構成とされている。【選択図】図４
2018031778.tif 000002
【特許請求の範囲】
【請求項１】
主回路に直列に接続されて両端に前記主回路に流れる電流に応じた電位差を生じさせる電流検出抵抗と、
一対の接続部を有し、前記一対の接続部間の電位差を検出する電流検出回路と、
前記電流検出抵抗の両端と前記電流検出回路における前記一対の接続部とをそれぞれ接続する一対の電圧検出線と、
前記一対の電圧検出線の少なくともいずれか一方が接続不良となった場合に、前記一対の接続部間の電位差が大きくなることを抑制する誤検出防止部とを備える過電流検出装置。
【請求項２】
前記誤検出防止部は、前記一対の接続部間に接続される電流検出抵抗よりも高抵抗な抵抗素子である請求項１に記載の過電流検出装置。
【請求項３】
前記誤検出防止部は、前記接続部と基準電圧ラインとの間にそれぞれ接続された電流検出抵抗よりも高抵抗な抵抗素子である請求項１に記載の過電流検出装置。
【請求項４】
組電池と、
請求項１から請求項３のいずれか一項に記載の過電流検出装置と、
前記過電流検出装置の検出結果に基づいて前記組電池の電流を遮断する電流遮断装置とを備えた蓄電装置。
【発明の詳細な説明】
【技術分野】
【０００１】
本明細書によって開示される技術は、過電流検出装置および蓄電装置に関する。
【背景技術】
【０００２】
例えば、電流検出手段を有する電源制御システムとして、特開２０１６−２０１７８号公報（下記特許文献１）に記載のものが知られている。
電流検出手段は、電力線に直列接続されるセンス抵抗と、センス抵抗の両端に接続された一対の配線と、一対の配線の端末に設けられたコンパレータを介して接続されるＣＰＵとを備えて構成されている。センス抵抗の両端電圧が一対の配線を通じてコンパレータに入力され、コンパレータから信号がＣＰＵに入力されることで、電力線における電流を検出することができるようになっている。
【先行技術文献】
【特許文献】
【０００３】
【特許文献１】特開２０１６−２０１７８号公報
【発明の概要】
【発明が解決しようとする課題】
【０００４】
ところで、このような電流検出手段の場合、一対の配線のうち、いずれか一方の配線に接続不良が生じると、コンパレータの入力側がほとんどオープンに近いハイインピーダンス状態となる。そして、配線が大きなノイズを受けたときには、コンパレータの入力側の電圧差が大きくなってしまうことで、ＣＰＵが過電流であると誤検出してしまう。したがって、例えば、電流遮断装置などが設置されている場合には、電流遮断装置において電流を遮断してしまい、電力を供給することができなくなってしまう。
【０００５】
本明細書では、過電流であると誤検出することを防ぐ技術を開示する。
【課題を解決するための手段】
【０００６】
本明細書によって開示される技術は、過電流検出装置であって、主回路に直列に接続されて両端に前記主回路に流れる電流に応じた電位差を生じさせる電流検出抵抗と、一対の接続部を有し、前記一対の接続部間の電位差を検出する電流検出回路と、前記電流検出抵抗の両端と前記電流検出回路における前記一対の接続部とをそれぞれ接続する一対の電圧検出線と、前記一対の電圧検出線の少なくともいずれか一方が接続不良となった場合に、前記一対の接続部間の電位差が大きくなることを抑制する誤検出防止部とを備えている構成とした。
【発明の効果】
【０００７】
本明細書によって開示される技術によれば、ノイズ等に起因して一対の接続部間の電位差が異常に大きくなることを防ぐことができ、電流検出回路が過電流であると誤検出することを防ぐことができる。
【図面の簡単な説明】
【０００８】
【図１】実施形態１に係る蓄電装置が自動車に搭載された状態を示す図
【図２】蓄電装置の斜視図
【図３】蓄電装置の分解斜視図
【図４】実施形態１に係る蓄電装置の電気的構成を示すブロック図
【図５】電流検出回路により検出された電流の推移を模式的に示したグラフ
【図６】実施形態２に係る蓄電装置の電気的構成を示すブロック図
【発明を実施するための形態】
【０００９】
（本実施形態の概要）
初めに、本明細書にて開示する過電流検出装置および蓄電装置の概要について説明する。
【００１０】
本明細書によって開示される過電流検出装置は、主回路に直列に接続されて両端に前記主回路に流れる電流に応じた電位差を生じさせる電流検出抵抗と、一対の接続部を有し、前記一対の接続部間の電位差を検出する電流検出回路と、前記電流検出抵抗の両端と前記電流検出回路における前記一対の接続部とをそれぞれ接続する一対の電圧検出線と、前記一対の電圧検出線の少なくともいずれか一方が接続不良となった場合に、前記一対の接続部間の電位差が大きくなることを抑制する誤検出防止部とを備えた構成とされている。
【００１１】
また、本明細書によって開示される蓄電装置は、組電池と、前記過電流検出装置と、前記過電流検出装置の検出結果に基づいて前記組電池の電流を遮断する電流遮断装置とを備えた構成とされている。
【００１２】
このような構成の過電流検出装置および蓄電装置によると、電圧検出線に接続不良が生じたとしても、電流検出回路における一対の接続部には誤検出防止部が接続されているから、電流検出回路の入力側のインピーダンスが無制限に上昇することを抑制することができる。これにより、ノイズ等に起因して一対の接続部間の電位差が異常に大きくなることを防ぐことができ、電流検出回路が過電流であると誤検出することを防ぐことができる。
【００１３】
本明細書により開示される蓄電装置の一実施態様として、前記誤検出防止部は、前記一対の接続部間に接続される電流検出抵抗よりも高抵抗な抵抗素子である構成としてもよい。
ここで、電流検出抵抗よりも高抵抗な抵抗素子とは、電流検出抵抗と比較して無視できる程に高抵抗となるような非常に高抵抗な抵抗素子である。
このような構成によると、一対の接続部間に電流検出抵抗よりも高抵抗な抵抗素子を接続した簡易な構成で過電流の誤検出を防ぐことができる。
【００１４】
本明細書により開示される蓄電装置の一実施態様として、前記誤検出防止部は、前記接続部と基準電圧ラインとの間にそれぞれ接続された電流検出抵抗よりも高抵抗な抵抗素子である構成としてもよい。
このような構成によると、各接続部と基準電圧ラインとの間に電流検出抵抗よりも高抵抗な抵抗素子を接続した簡易な構成で過電流の誤検出を防ぐことができる。
【００１５】
＜実施形態１＞
本明細書に開示された実施形態について図１から図５を参照して説明する。
本実施形態は、図１に示すように、自動車などの車両Ｍの図示しないエンジンルームに搭載されるエンジン始動用の蓄電装置１０を示しており、蓄電装置１０は、車両Ｍの電子制御装置Ｍ１に電力を供給すると共に、電子制御装置Ｍ１によって制御されるオルタネータなどの車両側充電器Ｍ２と接続されている。
【００１６】
また、蓄電装置１０は、図２に示すように、ブロック状の電池ケース１１を有している。電池ケース１１内には、図３に示すように、複数（本実施形態では４つ）の蓄電素子２１を直列に接続してなる組電池２０や制御基板１８などが収容されている。
【００１７】
なお、以下の説明において、図２および図３を参照する場合、上下方向とは、電池ケース１１が設置面に対して傾きなく水平に置かれた時の電池ケース１１の上下方向を基準とし、前後方向とは、電池ケース１１の短辺部分に沿う方向（奥行き方向）を基準として図示左手前側を前側とする。また、左右方向とは、電池ケース１１の長辺部分に沿う方向を基準とし、図示右手前側を右方向として説明する。
【００１８】
電池ケース１１は、合成樹脂製であって、図３に示すように、上方に開口する箱型のケース本体１３と、複数の蓄電素子２１を位置決めする位置決め部材１４と、ケース本体１３の上部に装着される中蓋１５と、中蓋１５の上部に装着される上蓋１６とを備えて構成されている。
【００１９】
ケース本体１３内には、図３に示すように、複数の蓄電素子２１が個別に収容される複数のセル室１３Ａが左右方向に並んで設けられている。
蓄電素子２１は、例えばグラファイト系材料の負極活物質と、リン酸鉄リチウムなどのリン酸鉄系の正極活物質を使用したリチウムイオン電池とされている。
【００２０】
位置決め部材１４は、図３に示すように、複数のバスバー１７が上面に配置されている。位置決め部材１４がケース本体１３内に配置された４つの蓄電素子２１の上部に配置されることで、４つの蓄電素子２１が位置決めされると共に複数のバスバー１７によって直列に接続されて組電池２０が構成されている。
【００２１】
中蓋１５は、図２および図３に示すように、平面視略矩形状をなし、左右方向に高低差を付けた形状とされている。車両Ｍに設けられた図示しないバッテリ端子が接続される一対の外部端子部１２が中蓋１５に埋設された状態で設けられている。一対の外部端子部１２は、例えば、鉛合金等の金属からなり、一対の外部端子部１２のうち、例えば、右側が正極側端子部１２Ｐとされ、左側が負極側端子部１２Ｎとされている。
【００２２】
また、中蓋１５は、図２に示すように、制御基板１８が内部に収容可能とされており、中蓋１５がケース本体１３に装着されることで、組電池２０と制御基板１８とが接続されるようになっている。
【００２３】
次に、蓄電装置１０の電気的構成を、図４を参照して説明する。
蓄電装置１０は、図４に示すように、組電池２０と、電池管理装置（以下、「ＢＭＵ」という）３０と、電流検出抵抗５０と、電流遮断装置５１とを備えて構成されている。
【００２４】
組電池２０と、電流検出抵抗５０と、電流遮断装置５１とは、通電路Ｌを介して直列に接続されており、組電池２０の正極側が電流遮断装置５１を介して正極側端子部１２Ｐに接続され、負極側が電流検出抵抗５０を介して負極側端子部１２Ｎに接続されている。
【００２５】
電流検出抵抗５０は、通電路Ｌの電流を検出する、いわゆるセンス抵抗器であって、例えば、数十ｍΩ〜数百ｍΩの低抵抗器とされている。電流検出抵抗５０は、電流検出抵抗５０の両端に接続された一対の電圧検出線ＶＬを介してＢＭＵ３０と接続されている。
【００２６】
電流遮断装置５１は、例えばＮチャネルのＦＥＴなどの半導体スイッチやリレーからなり、電流遮断装置５１は、ＢＭＵ３０からの駆動指令に応答して作動し、組電池２０と正極側端子部１２Ｐとの間の通電を遮断する。
【００２７】
ＢＭＵ３０は、電圧検出回路３１と、中央処理装置であるＣＰＵ３３と、メモリ３４と、電流検出回路３５とを備えて構成されており、これらは、制御基板１８上に搭載されている。また、ＢＭＵ３０は、電力ラインＬ２を介して通電路Ｌに接続されることで組電池２０から電力の供給を受けている。なお、電池管理装置３０における電流検出回路３５と電流検出抵抗５０とを組み合わせた構成が過電流検出装置に相当する。
【００２８】
電圧検出回路３１は、複数（本実施形態では５本）のセル電圧検出ラインＬ１を介して、各蓄電素子２１の両端にそれぞれ接続されており、各蓄電素子２１のセル電圧及び組電池２０の電池電圧（複数の蓄電素子２１の総電圧）をＣＰＵ３３に対して出力する。
【００２９】
メモリ３４は、例えばフラッシュメモリやＥＥＰＲＯＭ等の不揮発性メモリとされている。メモリ３４には、各蓄電素子２１または組電池２０を管理する各種プログラム、各種プログラムの実行に必要なデータ、例えば、組電池２０の過電流検出閾値などが記憶されている。
【００３０】
電流検出回路３５は、電流検出抵抗５０の両端から延びる一対の電圧検出線ＶＬが接続された一対の接続部３６を有している。電流検出回路３５は、電流検出抵抗５０の両端間の電位差が一対の電圧検出線ＶＬを通じて一対の接続部３６に入力されることで、一対の接続部３６間の電位差から電流検出抵抗５０のセンス電圧を検出する。
【００３１】
言い換えると、一対の電圧検出線ＶＬは、電流検出抵抗５０の両端と制御基板１８における電流検出回路３５の一対の接続部３６とをそれぞれ繋ぐように接続されており、電流検出抵抗５０の両端間の電位差を電流検出回路３５の一対の接続部３６に入力する。これにより、電流検出回路３５は、電流検出抵抗５０のセンス電圧を検出することができるようになっている。
【００３２】
そして、電流検出回路３５は、検出されたセンス電圧と電流検出抵抗５０の抵抗値とに基づいて、通電路Ｌに流れる電流を求め、求めた電流を組電池２０の電流としてＣＰＵ３３に出力する。
【００３３】
ＣＰＵ３３は、受信した各種の信号と、メモリ３４から読み出したプログラムとに基づいて、各部の監視および制御を行う。
具体的には、電圧検出回路３１および電流検出回路３５からの出力が入力されることで、常時あるいは定期的に、蓄電素子２１および組電池２０の電圧や組電池２０の電流を監視している。
【００３４】
そして、ＣＰＵ３３は、蓄電素子２１および組電池２０の電圧に異常を検出した場合には、蓄電素子２１もしくは組電池２０に不具合が生じる恐れがあるとして、電流遮断装置５１を作動させて組電池２０と正極側端子部１２Ｐとの間の通電を遮断する。また、ＣＰＵ３３は、組電池２０の電流がメモリ３４に記憶された過電流検出閾値以上であると検出した場合には、組電池２０が過電流状態になる恐れがあるとして、電流遮断装置５１を作動させて組電池２０と正極側端子部１２Ｐとの間の通電を遮断する。これにより、ＣＰＵ３３は、蓄電素子２１や組電池２０に不具合が生じることを防いでいる。
【００３５】
さて、電流検出回路３５における一対の接続部３６間には、図４に示すように、誤検出防止部３７が接続されている。
誤検出防止部３７は、電流検出抵抗５０と比較して無視できる程に高抵抗となるような非常に高抵抗な抵抗器であって、例えば、電流検出抵抗５０の千倍から百万倍程度となる数十Ω〜数百ｋΩの高抵抗な抵抗器とされている。
【００３６】
本実施形態は、以上のような構成であって、続いて、蓄電装置１０の作用および効果について説明する。
蓄電装置１０は、電流検出抵抗５０の両端と電流検出回路３５の一対の接続部３６とが一対の電圧検出線ＶＬによって接続されているものの、例えば、車両Ｍの振動など何らかの原因により、一対の電圧検出線ＶＬのうち、いずれか一方の電圧検出線ＶＬに接続不良が生じると、接続不良が生じた電圧検出線ＶＬがハイインピーダンス状態となる。
【００３７】
このような状態において、電圧検出線ＶＬがノイズを受けた場合、図５の一点鎖線αに示すように、一対の接続部３６間の電圧差が大きくなってしまうことで、電流検出回路３５において検出される電流が過電流検出閾値以上となってしまい、ＣＰＵ３３が、組電池２０が過電流状態であると誤検出してしまう虞がある。仮にＣＰＵ３３が誤検出すると、電流遮断装置５１を作動させることで、組電池２０と正極側端子部１２Ｐとの間の通電が遮断され、蓄電装置１０から電力を供給することができなくなってしまう。
【００３８】
ところが、本実施形態によると、電流検出回路３５における一対の接続部３６間には、抵抗器からなる誤検出防止部３７が接続されているから、電圧検出線ＶＬに接続不良が生じたとしても、電流検出回路３５が誤検出防止部３７の両端の電位差を検出することで、電位差が所定値以下に抑えられ、一対の接続部３６間のインピーダンスが無制限に上昇することを抑制することができる。
【００３９】
つまり、ノイズ等に起因して一対の接続部３６間の電位差が異常に大きくなることを防ぐことで、電流検出回路３５において検出される電流が、図５の実線βに示すように、所定値以下に抑えられ、電流検出回路３５が過電流であると誤検出することを防ぐことができる。これにより、電圧検出線ＶＬに接続不良が生じることに起因して組電池２０と正極側端子部１２Ｐとの間の通電が遮断されることが防がれ、蓄電装置１０から電力を供給することができなくなることを防ぐことができる。
【００４０】
以上のように、本実施形態によると、電流検出回路３５における一対の接続部３６間に、電流検出抵抗５０と比較して無視できる程に高抵抗となるような非常に高抵抗な誤検出防止部３７を接続した簡易な構成とすることで、電圧検出線ＶＬに接続不良が生じたとしても、一対の接続部３６間における電位差を所定値以下に抑えることができる。これにより、電流検出回路が過電流であると誤検出することを防ぐことができるから、電圧検出線ＶＬに接続不良が生じることに起因して蓄電装置１０から電力を供給することができなくなることを防ぐことができる。
【００４１】
＜実施形態２＞
次に、実施形態２について図６を参照して説明する。
実施形態２の蓄電装置１１０は、実施形態１とは異なり、誤検出防止部３７の接続先を変更したものであって、実施形態１と共通する構成、作用、および効果については重複するため、その説明を省略する。また、実施形態１と同じ構成については同一の符号を用いるものとする。
【００４２】
実施形態２の蓄電装置１１０における誤検出防止部１３７は、それぞれの接続部３６と蓄電装置１１０の基準電圧ラインであるＧＮＤラインＬ３とを接続するように、各接続部３６とＧＮＤラインＬ３との間にそれぞれ設けられている。
【００４３】
各誤検出防止部１３７は、実施形態１と同様に、電流検出抵抗５０と比較して無視できる程に高抵抗となるような非常に高抵抗な抵抗器であって、例えば、電流検出抵抗５０の千倍から百万倍程度となる数十Ω〜数百ｋΩの高抵抗な抵抗器とされている。
【００４４】
すなわち、本実施形態においても、各接続部３６とＧＮＤラインＬ３との間に、電流検出抵抗５０と比較して無視できる程に高抵抗となるような非常に高抵抗な誤検出防止部３７を設けることで、電圧検出線ＶＬに接続不良が生じたとしても、電流検出回路３５によって検出する電位差が所定値以下に抑えられ、ノイズ等に起因して電流検出回路３５が過電流であると誤検出することを防ぐことができる。
【００４５】
つまり、電圧検出線ＶＬに接続不良が生じることに起因して電流遮断装置５１が動作することが防がれ、蓄電装置１１０から電力を供給することができなくなることを防ぐことができる。
【００４６】
＜他の実施形態＞
本明細書で開示される技術は上記記述及び図面によって説明した実施形態に限定されるものではなく、例えば次のような種々の態様も含まれる。
（１）上記実施形態では、誤検出防止部３７を、車両Ｍのエンジン始動用の蓄電装置１０に適用した構成とした。しかしながら、これに限らず、誤検出防止部を、モータ駆動用の蓄電装置や２輪車両用の蓄電装置に適用してもよい。
【００４７】
（２）上記実施形態では、誤検出防止部３７，１３７を、電流検出抵抗５０と比較して無視できる程に高抵抗となるような非常に高抵抗な抵抗器によって構成した。しかしながら、これに限らず、電流検出回路によって検出される電流が過電流検出閾値以上とならないように、一対の接続部間の電位差を抑制する電圧降下素子によって構成してもよい。
【００４８】
（３）蓄電装置１０においては、蓄電装置１０を保護する必要があるという理由で、過電流を検出してから電流遮断装置５１が作動するまでの時間（遅延時間）が短い。蓄電装置１０では、典型的には、外部短絡が生じた場合に過電流が流れる。外部短絡は、例えば、車両に搭載した蓄電装置１０の交換時にユーザーが、或いは車両への蓄電装置１０の組み込み時に作業者が、正極側端子部１２Ｐと負極側端子部１２Ｎとを誤って導通させた場合に生じる。外部短絡が生じる他の例として、蓄電装置１０に接続された負荷が故障して負荷が短絡した場合や、車両衝突時に正極側端子部１２Ｐが車体パネルに接触した場合が考えられる。このような外部短絡が生じた時に、即座に電流遮断装置５１を作動して通電路Ｌを遮断しないと、ＢＭＵ３０や組電池２０、更には蓄電装置１０に接続された負荷が、ダメージを受ける可能性がある。そのため、ＢＭＵ３０のＣＰＵ３３は、電流遮断装置５１により即座に通電路Ｌを遮断する。すなわち、過電流を検出してから電流遮断装置５１が作動するまでの遅延時間は極めて短く設定されている。
【００４９】
過電流以外の、他の状態（過電圧、過温度等）を判定する場合は、ある時点でのセンサ出力がエラー値である可能性を考慮して、複数回センシングを行って異常値は無視したり、平均値を求めたり、センサや検出線の故障診断を行ったりして、ノイズやセンサ誤作動の影響を低くすることが出来る。過電流を判定する場合は、上述の理由（ＢＭＵ３０、組電池２０、蓄電装置１０に接続された負荷を保護するという理由）から、複数回センシングを行う、平均値を求める、或いは故障診断を行うような時間的な余裕が無い。
そのため、外部短絡などによって本当に過電流が流れている場合と、電圧検出線の断線や接続不良が起きて電圧検出線ＶＬにノイズが乗った場合とで、区別がつかず、断線や接続不良を、過電流と誤検出する可能性が高くなる。
【００５０】
上記実施形態では、電圧検出線ＶＬに断線や接続不良が起きても、追加された抵抗器３７、１３７により、一対の接続部３６間における電位差を所定値以下に抑え、ノイズの影響を抑制できる。そのため、上記した遅延時間が短い場合でも、断線や接続不良を、過電流と誤検出する可能性が低くなる。故障診断を行わなくても、誤検出の可能性を低くできる（電流検出抵抗５０と、抵抗器３７、１３７との両方でオープン故障が発生した場合にのみ誤検出の可能性が生じる）。
【００５１】
（４）電圧検出線ＶＬの断線や接続不良を過電流と誤検出して、電流遮断装置５１が作動すると、車両負荷への電源供給がストップするため、例えば、車両の発電機が機能していない場合、パワーステアリングが効かなくなることや、ブレーキが利きにくくなる等の車両不具合の発生が懸念される。本発明の蓄電装置１０を車両に搭載することで、こうした車両不具合の発生を、抑制することが出来る。
【００５２】
（５）上記実施形態では、蓄電装置１０の内部に、過電流検出装置を設けた。過電流検出装置は、蓄電装置１０を必要とする装置側に設けるようにしてもよい。例えば、蓄電装置１０を車両に搭載する場合、車両内であって、蓄電装置１０の外に、過電流検出装置を設けるようにしてもよい。具体的には、過電流検出装置は電流検出回路３５、電流検出抵抗５０、電圧検出線ＶＬ、誤検出検出部である抵抗器３７、１３７を含むことから、これら各構成要素３５、５０、ＶＬ、３７、１３７を、車両内であって、蓄電装置１０の外に配置してもよい。
【００５３】
（６）本発明は、以下の方法として実施してもよい。過電流検出装置の誤検出を抑制する抑制方法であって、前記過電流検出装置は、主回路に直列に接続されて両端に前記主回路に流れる電流に応じた電位差を生じさせる電流検出抵抗と、一対の接続部を有し、前記一対の接続部間の電位差を検出する電流検出回路と、前記電流検出抵抗の両端と前記電流検出回路における前記一対の接続部とをそれぞれ接続する一対の電圧検出線と、を含み、前記一対の電圧検出線の少なくともいずれか一方が接続不良となった場合に、誤検出防止部により、前記一対の接続部間の電位差が大きくなることを抑制することにより、前記過電流検出装置の誤検出を抑制する。
【００５４】
（７）蓄電素子の電流検出方法であって、前記蓄電素子に直列に接続された電流検出抵抗における電圧降下を前記電流検出抵抗に接続された一対の電圧検出線を用いて検出し、前記一対の電圧検出線の少なくともいずれか一方が接続不良となった場合に、誤検出防止部により、前記一対の電圧検出線間の電位差が大きくなることを抑制する。
【００５５】
（８）前記蓄電素子の電流検出方法であって、前記電流検出抵抗により検出される電流値が閾値以上の場合、前記蓄電素子及び前記電流検出抵抗に直列に接続された電流遮断装置により通電路を遮断する。
【００５６】
（９）前記蓄電素子の電流検出方法であって、前記蓄電素子は車両に搭載される蓄電装置を構成する。
【００５７】
（１０）前記蓄電素子の電流検出方法であって、前記誤検出防止部は、前記一対の電圧検出線に接続された抵抗器であって、前記抵抗器の抵抗値は前記電流検出抵抗の抵抗値よりも高い。
【００５８】
（１１）前記蓄電素子の電流検出方法であって、前記誤検出防止部は、前記一対の電圧検出線それぞれと基準電圧ラインとの間に接続された一対の抵抗器であって、前記抵抗器のそれぞれの抵抗値は前記電流検出抵抗の抵抗値よりも高い。
【符号の説明】
【００５９】
１０：蓄電装置
２０：組電池
３５：電流検出回路（「過電流検出装置」の一例）
３６：接続部
３７：誤検出防止部
５０：電流検出抵抗（「過電流検出装置」の一例）
５１：電流遮断装置
Ｌ：通電路（「主回路」の一例）
Ｌ３：ＧＮＤライン（「基準電圧ライン」の一例）
ＶＬ：電圧検出線（「過電流検出装置」の一例）
【図１】
2018031778.tif 000003
【図２】
2018031778.tif 000004
【図３】
2018031778.tif 000005
【図４】
2018031778.tif 000006
【図５】
2018031778.tif 000007
【図６】
2018031778.tif 000008